(57)【要約】【課題】２次転写部の清掃における負荷低減と二次転写部の耐久性を向上させる。【解決手段】中間転写ベルト２１上のトナー像を記録材Ｐ上に二次転写する二次転写ローラ２６と、二次転写ローラ２６に付着したトナーを受け取る汚物回収ローラ２７を介して汚物回収ローラ２７上の残トナーを清掃する清掃ブレード６０を設ける。【選択図】        図１
2005010386.tif 000002
【特許請求の範囲】
【請求項１】
静電潜像が形成される像担持体と、前記像担持体に形成された静電潜像を現像してトナー像とする現像装置と、形成したトナー像を中間転写体上に一次転写する一次転写部と、中間転写体上に一次転写されたトナー像を、二次転写部材にて転写材上に転写する二次転写部と、で構成される画像形成装置において、
二次転写部材に当接し、前記二次転写部材に付着したトナーを回収する回収部材と、前記回収部材をクリーニングするクリーニング手段とを備えることを特徴とする画像形成装置。
【請求項２】
静電潜像が形成される像担持体と、前記像担持体に形成された静電潜像を現像してトナー像とする現像装置と、形成したトナー像を中間転写体上に一次転写する一次転写部と、中間転写体上に一次転写されたトナー像を、二次転写部材にて転写材上に転写する二次転写部と、で構成される画像形成装置において、
前記二次転写部材はローラ対で構成され、前記二次転写部材に付着したトナーに帯電させる帯電手段と、前記二次転写部材の回転方向に対して前記帯電手段の下流に配置され二次転写部材に当接し、前記二次転写部材に付着したトナーを回収する回収部材と、前記回収部材をクリーニングするクリーニング手段とを備えることを特徴とする画像形成装置。
【請求項３】
前記帯電手段は前記二次転写部材に付着したトナーに均一の電荷を帯電させることを特徴とする請求項２記載の画像形成装置。
【請求項４】
前記回収部材が導電性材料または中抵抗値材料で形成された回転部材であることを特徴とする請求項１ないし２に記載の画像形成装置。
【請求項５】
前記クリーニング手段が、弾性を有するブレード状の部材であることを特徴とする請求項１ないし２に記載の画像形成装置。
【請求項６】
前記クリーニング手段が、ブラシ状の部材であることを特徴とする請求項１ないし２に記載の画像形成装置。
【請求項７】
前記回収部材の電位を制御可能な給電制御手段を有することを特徴とする請求項１ないし２に記載の画像形成装置。
【発明の詳細な説明】
【０００１】
【発明の属する技術分野】
本発明は、静電記録方式や電子写真記録方式などを採用した複写機、プリンタ等の画像形成装置に関し、特に複数の画像形成手段及び中間転写体を有する画像形成装置に関する。
【０００２】
【従来の技術】
従来の複写機、プリンタ等のカラー画像形成装置において、複数の画像形成ステーションで形成されたトナー像を一旦、中間転写体上に順次に転写して中間転写体上で重ね合わせ、その後、中間転写体から一括で記録材に転写する中間転写方式のものが知られている。図４にその一例を示す。
【０００３】
同図に示す画像形成装置は、光・磁気・電荷等を利用して感光ドラム１ａ、１ｂ、１ｃ、１ｄ上に静電潜像を形成しこの静電潜像をそれぞれ色の異なるトナーで現像してトナー像（可視画像）を形成する４個の画像形成ステーションＳａ、Ｓｂ、Ｓｃ、Ｓｄと、各画像形成ステーションＳａ〜Ｓｄから順次に転写された各色のトナー像が転写されて重ね合わされる中間転写体２１と、中間転写体２１上の複数色のトナー像を記録材Ｐ上に転写する二次転写装置７０と、記録材Ｐ上に転写された複数色のトナー像を記録材Ｐ上に定着するための定着装置４０とを備えている。
【０００４】
上述の中間転写体２１としては、複数のローラに張架され無端回動するベルト状の中間転写ベルト又はドラム軸を中心に回動する円筒状の中間転写ドラムなどが使用される。複数の画像形成ステーションＳａ〜Ｓｄに近接して配置された中間転写体２１には、各感光ドラム１ａ〜１ｄ上に形成されたトナー像が、中間転写体２１に対向する位置に配設された一次転写部材２５ａ、２５ｂ、２５ｃ、２５ｄによって一次転写される。各感光ドラム１ａ〜１ｄから一次転写されたトナー像は、中間転写体２１上において重ね合わされ、中間転写体２１が回転することによって記録材Ｐに転写される二次転写位置まで搬送される。中間転写体２１上のトナー像は、給搬送装置３０によって供給された記録材Ｐに二次転写装置７０によって二次転写され、さらに定着装置４０において定着されることによってフルカラー画像が形成される。
【０００５】
なお、単色画像を得る場合は、特定の画像形成ステーション（例えば中間転写体２１の回転方向最下流に位置する画像形成ステーションＳａ）から中間転写体２１上に単色のトナー像が一次転写され、以下、フルカラー画像を形成する場合と同様のプロセスを経て、記録材Ｐ上に単色画像が形成される。
【０００６】
上述のような中間転写方式の画像形成装置においては、感光ドラム１ａ〜１ｄから中間転写体２１上に転写されたトナー像を種々の画像読み取り手段を用いて読み取り、その情報を基に画質の向上を図っている。
【０００７】
例えば、中間転写体２１上のトナー像の画像濃度を読み取り、それにより感光ドラム１ａ〜１ｄ上への画像形成条件や一次転写条件を変更する技術が知られている。また、各色の画像形成ステーションＳａ〜Ｓｄから中間転写体２１上に一次転写された各色のトナー像の位置を検出し、その位置精度のずれ量を補正すべく、感光ドラム１ａ〜１ｄへの画像形成タイミングや位置を補正する技術も知られている。図５中の８０はそうした画像読み取り手段を示している。
【０００８】
読み取り手段による読み取りは、実際の画像形成に先立って行われ、このために中間転写体２１上に形成された読み取りのためのトナー像は記録材Ｐに転写されることなく、そのまま二次転写Ｔｅを通過することになる。二次転写部Ｔｅは、中間転写体２１の転写面（表面）に接する二次転写部材（二次転写ローラ）２６と、中間転写体２１を挟んで二次転写部材２６に対向して配置された二次転写対向部材（二次転写対向ローラ）２４とを有している。そのため、記録材Ｐに転写されない中間転写体２１上のトナー像が二次転写部材２６を通過する際には、そのトナー像が二次転写部材２６の表面に付着してしまうため、二次転写部Ｔｅには二次転写部材２６に接触してその表面を清掃する清掃部材６０を設けてある（例えば特許文献１）。
【０００９】
【特許文献１】
特開平５−３１３５２５号公報
【００１０】
【発明が解決しようとする課題】
しかしながら、二次転写部材２６に直接清掃部材６０を当接させる構成では二次転写部材２６の表面が磨耗し耐久性が悪くなるという問題があった。二次転写部材２６の駆動を中間転写体２１から伝達される構成では二次転写部材２６を駆動するトルクが高くなり、中間転写体２１の回転ムラが発生し画像にまで影響する問題もある。
【００１１】
本発明は、上述事情に鑑みてなされたものであり、二次転写部材を清掃する構成において、二次転写部材を磨耗させることなく、また二次転写部材に過剰な負荷をかけることなく、二次転写部材を清掃することを目的とするものである。
【００１２】
【課題を解決するための手段】
上述の目的を達成するための請求項１に係る本発明は、静電潜像が形成される像担持体と、前記像担持体に形成された静電潜像を現像してトナー像とする現像装置と、形成したトナー像を中間転写体上に一次転写する一次転写部と、中間転写体上に一次転写されたトナー像を、二次転写部材にて転写材上に転写する二次転写部と、で構成される画像形成装置において、二次転写部材に当接し、前記二次転写部材に付着したトナーを回収する回収部材と、前記回収部材をクリーニングするクリーニング手段とを備えることを特徴とする。
【００１３】
請求項２に係る本発明は、静電潜像が形成される像担持体と、前記像担持体に形成された静電潜像を現像してトナー像とする現像装置と、形成したトナー像を中間転写体上に一次転写する一次転写部と、中間転写体上に一次転写されたトナー像を、二次転写部材にて転写材上に転写する二次転写部と、で構成される画像形成装置において、前記二次転写部材はローラ対で構成され、前記二次転写部材に付着したトナーに帯電させる帯電手段と、前記二次転写部材の回転方向に対して前記帯電手段の下流に配置され二次転写部材に当接し、前記二次転写部材に付着したトナーを回収する回収部材と、前記回収部材をクリーニングするクリーニング手段とを備えることを特徴とする。
【００１４】
請求項３に係る本発明は、請求項１又は２の画像形成装置において、前記帯電手段は前記二次転写部材に付着したトナーに均一の電荷を帯電させることを特徴とする。
【００１５】
請求項４に係る本発明は、請求項１又は２の画像形成装置において、前記回収部材が導電性材料または中抵抗値材料で形成された回転部材であることを特徴とする。
【００１６】
請求項５に係る本発明は、請求項１又は２の画像形成装置において、前記クリーニング手段が、弾性を有するブレード状の部材であることを特徴とする。
【００１７】
請求項６に係る本発明は、請求項１又は２の画像形成装置において、前記クリーニング手段が、ブラシ状の部材であることを特徴とする。
【００１８】
請求項７に係る本発明は、請求項１又は２の画像形成装置において、前記回収部材の電位を制御可能な給電制御手段を有することを特徴とする。
【００１９】
【発明の実施の形態】
以下、図面に沿って、本発明の実施の形態について説明する。なお、各実施の形態において、共通の部材等については同一の符号を付し、それらについての重複説明は適宜省略するものとする。
【００２０】
〈実施の形態１〉
図１に、本発明に係る画像形成装置の一例を示す。同図に示す画像形成装置は、電子写真方式の画像形成装置であり、その中でも本発明が特に有効であると考えられる、複数の画像形成ステーションを並列に配設した画像形成装置である。
【００２１】
画像形成装置全体は、プリント部Ａとリーダ部Ｂとに大別され、さらにプリント部Ａは、画像形成手段１０、転写手段２０、給搬送手段３０、定着手段（定着装置）４０、制御手段（不図示）等を有するプリント部と、リーダ部５０とを備えている。
【００２２】
画像形成手段１０は、同一の構成の４個の画像形成ステーションＳａ、Ｓｂ、Ｓｃ、Ｓｄを備えている。各画像形成ステーションＳａ、Ｓｂ、Ｓｃ、Ｓｄは、像担持体としてのドラム型の電子写真感光体（以下「感光ドラム」という。）１ａ、１ｂ、１ｃ、１ｄを有しており、それぞれ矢印方向に所定のプロセススピードで駆動手段（不図示）によって回転駆動される。感光ドラム１ａ〜１ｄの周囲には、その回転方向に沿ってほぼ順に、一次帯電器２ａ、２ｂ、２ｃ、２ｄ、露光装置（光学系）３ａ、３ｂ、３ｃ、３ｄ、現像装置４ａ、４ｂ、４ｃ、４ｄが配置されている。一次帯電器２ａ〜２ｄにおいて感光ドラム１ａ〜１ｄの表面を所定の極性・電位に均一の帯電する。次いで露光装置３ａ〜３ｄにより、記録画像信号に応じて変調した例えばレーザビームなどの光線を感光ドラム１ａ〜１ｄ表面に照射することによって、静電潜像を形成する。さらに、イエロー、シアン、マゼンタ、ブラックといった４色の現像剤（トナー）をそれぞれ収納した現像装置４ａ〜４ｄによって静電潜像にトナーを付着させてトナー像として現像する。感光ドラム１ａ〜１ｄ上に形成された各色のトナー像は、それぞれ画像転写領域（一次転写部）Ｔａ、Ｔｂ、Ｔｃ、Ｔｄにおいて中間転写体としての後述の中間転写ベルト２１に転写される。トナー像転写後の感光ドラム１ａ〜１ｄは、中間転写ベルト２１に転写されないで表面に残った転写残トナーがクリーニング装置５ａ、５ｂ、５ｃ、５ｄにより掻き落として清掃されて次の画像形成に供される。
【００２３】
給搬送手段２０は、記録材Ｐを収納するための給紙カセット３１ａ、３１ｂ、手差しトレイ３１ｃ、これらから記録材Ｐを１枚ずつ送り出すためのピックアップローラ３２ａ、３２ｂ、３２ｃ、これらから送り出された記録材Ｐをレジストローラ３４ａ、３４ｂまで搬送するための給紙ローラ３３、給紙ガイド３５、そして画像形成手段１０の画像形成タイミングに合わせて記録材Ｐを二次転写領域（二次転写部）Ｔｅへ送り出すためのレジストローラ３４ａ、３４ｂを有している。
【００２４】
転写手段２０について詳細に説明する。本実施の形態においては、中間転写体としてベルト状の中間転写ベルト２１を有している。中間転写ベルト２１は、その材料として例えば、ＰＥＴ（ポリエチレンテレフタレート）やＰＶｄＦ（ポリフッ化ビニリデン）などが用いられる。中間転写ベルト２１は、これに駆動を伝達する駆動ローラ２２、ばね（不図示）の付勢によって中間転写ベルト２１に適度な張力を与えるテンションローラ２３、中間転写ベルト２１を挟んで二次転写領域Ｔｅに対向する従動ローラ（二次転写対向ローラ）２４に掛け渡されている。これらローラのうち駆動ローラ２２とテンションローラ２３との間に一次転写平面が形成される。駆動ローラ２２は金属ローラの表面に数ｍｍ厚のゴム等をコーティングして中間転写ベルト２１との間のスリップを防いでいる。駆動ローラ２２はパルスモータ（不図示）によって回転駆動される。各感光ドラム１ａ〜１ｄと中間転写ベルト２１とが対向する一次転写領域Ｔａ〜Ｔｄには、中間転写ベルト２１の裏に一次転写ブレード（一次転写部材）２５ａ〜２５ｄが配置されている。従動ローラ２４に対向して二次転写ローラ（二次転写部材）２６が配置され、中間転写ベルト２１とのニップによって二次転写領域Ｔｅを形成している。二次転写ローラ２６は付勢手段としてのばね６２（図２参照）によって中間転写ベルト２１に対して適度な圧力で加圧されている。
【００２５】
定着装置（定着手段）４０は、内部にハロゲンヒータなどの熱源を有する定着ローラ４１とこれに加圧された加圧ローラ４２（加圧ローラ４２も熱源を有することもある）、これらローラ対のニップ部へ記録材Ｐを導くためのガイド３６、ローラ対から排出されてきた記録材Ｐをさらに装置外部に導き出すための内排紙ローラ４３、外排紙ローラ４４などを備えている。トナー像の定着後にこれらのローラから排出された記録材Ｐは、排紙トレイ４５上に排出される。
【００２６】
制御手段は、上述の各手段の動作を制御するための制御板や、モータドライブ基板（いずれも不図示）などを有している。
【００２７】
画像読み取り手段５０は、原稿が載置される原稿台５１と、光源（不図示）から照射され原稿によって反射された反射光を導くミラー５２ａ、５２ｂ、５２ｃと、レンズ５３と、ＣＣＤ５４とを有している。
【００２８】
次に、上述構成の画像形成装置の動作を説明する。
【００２９】
画像形成動作の開始信号が発せられると、まずピックアップローラ３２ａにより、給紙カセット３１ａから記録材Ｐが１枚ずつ送り出される。そして給紙ローラ対３３によって記録材Ｐが給紙ガイドの間を案内されてレジストローラ３４ａ、３４ｂまで搬送される。そのときレジストローラ３４ａ、３４ｂは停止されており、記録材先端はレジストローラ３４ａ、３４ｂのニップ部に突き当たる。その後、レジストローラ３４ａ、３４ｂは、画像形成手段１０が画像の形成を開始するタイミングに合わせて回転を始める。この回転時期は、記録材Ｐと、各感光ドラム１ａ〜１ｄから中間転写ベルト２１上に一次転写されたトナー像とが二次転写領域Ｔｅにおいてちょうど一致するようにそのタイミングが設定されている。
【００３０】
一方、画像形成手段１０では、画像形成動作の開始信号が発せられると、前述の画像形成プロセスにより中間転写ベルト２１の回転方向において一番上流にある感光ドラム１ｄ上に形成されたトナー像が、高電圧が印加された一次転写ブレード２５ｄによって一次転写領域Ｔｄにおいて中間転写ベルト２１に一次転写される。一次転写されたトナー像は次の一次転写領域Ｔｃまで搬送される。そこでは各画像形成ステーションＰａ〜Ｐｄ間をトナー像が搬送される時間だけ遅延して画像形成が行われており、前に転写されたトナー像上にレジストを合わせて次のトナー像が転写されることになる。以下も同様の工程が繰り返され、これにより、４色のトナー像が中間転写ベルト２１上に一次転写されて重ね合わされる。
【００３１】
その後、記録材Ｐが二次転写領域Ｔｅに進入し、中間転写ベルト２１に接触すると、記録材Ｐの通過タイミングに合わせて二次転写部材である二次転写ローラ２６に、高電圧が印加される。そして前述したプロセスにより中間転写ベルト２１上で重ねられている４色のトナー像が記録材Ｐの表面に一括で転写される。その後、記録材Ｐは搬送ガイド３６によって定着ローラ４１と加圧ローラ４２のニップ部まで正確に案内される。そして定着ローラ４１、加圧ローラ４２による加熱及び加圧によってトナー像が記録材Ｐ表面に定着される。その後、トナー像定着後の記録材Ｐは、内排紙ローラ４３、外排紙ローラ４４により排紙トレイ４５上に排出される。
【００３２】
次に、４色のトナー像の色合わせについて説明する。
【００３３】
中間転写体２１上のトナー像を記録材Ｐに二次転写する前に、図３に示すように、まず各色のトナー像を中間転写体２１上に形成する。中間転写ベルト２１ト上に形成するトナー像は、各色で所定の距離だけ離して書き込むよう制御されている。同図の例では、書き込まれたトナー像は、十字のマーク画像となっている。この中間転写ベルト２１上のトナー像の画像市を、ＣＣＤ等の手段を用いた画像読み取り部８０で読み取る。例えば各色のトナー像間の距離ａ、ｂ、ｃを読み取るが、この距離は、本来、書き込み時に制御された所望の距離と一致しているはずである。しかしながら、実際は画像形成装置内の温度の上昇や、画像形成装置本体のゆがみや、機械的なガタなどによりその位置が微妙にずれることが知られている。このずれ量をそのままにして４色のトナー像を中間転写体２１上で重ね合わせると、それが色ずれとして画像に現れてしまう。
【００３４】
こうした色ずれを低減するため、中間転写ベルト２１上の各色トナー像のずれ量を、前述の画像読み取り部８０で検知し、そのずれ量に応じて感光ドラム１ａ〜１ｄへの画像書き込みタイミングや位置を補正し、結果として４色トナー像間の色ずれを補正した画像を中間転写ベルト２１上に形成することができる。補正すべきトナー像のずれは、ａ、ｂ、ｃの他にも、図３に示すように、中間転写ベルト２１の幅方向の中心からのずれ量（Ｃ１、Ｃ２、Ｃ３、Ｃ４）、倍率（Ｂ１、Ｂ２、Ｂ３、Ｂ４）、傾きなどがあり、それぞれに関して同様の補正を行うことが可能である。
【００３５】
以上述べたように、中間転写ベルト２１上のトナー像を読み取り、その結果により感光ドラム１ａ〜１ｄへの画像書込みを補正する動作シーケンスを実施している場合には、中間転写ベルト２１上にトナー像が作成されるが、このトナー像そのものは、記録材Ｐに転写されるものではないために、二次転写部材である二次転写ローラ２６表面に付着する。二次転写ローラ２６の周囲には、その表面に当接するように、二次転写ローラ２６表面に付着したトナーを回収する回収手段としての回収ローラ２７、更に回収ローラ２７の清掃手段として清掃ブレード（清掃部材）６０が配置されている。同図において、清掃ブレード６０の材質は、ゴム、金属、各種プラスチック等によって形成されたブレード状の弾性部材であり、回収ローラ２７の材質との相性によって決まるものである。その先端部を回収ローラ２７の表面にある角度を持って当接させて配置されている。これにより、二次転写ローラ２６表面に付着しているトナー像は、汚物回収ローラ２７を介してローラ表面より回収され、ローラ表面は清掃される。回収ローラ２７は単純に金属ローラでも良いが、アクリルスポンジからなる１０６〜１０９Ωのスポンジ層と、アクリルウレタンからなる抵抗層、清掃に適したフッ素樹脂からなる３層構造のものでも良い。
【００３６】
清掃ブレード６０によって掻き落とされたトナーは、その下に配置された回収トレイ６１上に回収され、その後、例えば、ユーザによって回収除去される。
【００３７】
二次転写部は、中間転写ベルト２１の転写面（表面）の一部と、これに接触する二次転写ローラ２６と、中間転写ベルト２１を挟んで二次転写ローラ２６に対向配置された二次転写対向ローラ２４と、二次転写ローラ２６に当接した回収ローラ２７と、回収ローラ２７に付着したトナーを掻き落す清掃ブレード６０によって構成されている。通常、二転対向ローラ２４は、中間転写ベルト２１を内側から張り、支え、保持しているために、その位置は固定されている。これに対して、中間転写ベルト２１と記録材Ｐとを間に挟み込む二次転写ローラ２６は、回収ローラ２７と清掃ブレード６０と共に一つのユニットとして一体化されており、二次転写を行うために必要とされる所定の押し上げ力を発生させるばね６２等の力により、矢印Ｍ方向の圧力を加えて配置されている。
【００３８】
こうした二次転写ローラ２６による、二次転写対向ローラ２４への一定の圧力により、二次転写部においては、常に安定した転写能力を発揮することができる。また二次転写部に搬送されてくる種々の記録材Ｐ、特に厚みが厚い記録材Ｐであっても、中間転写ベルト２１との間に挟み込んだ状態で安定して下流側へと搬送することが可能な構成となっている。
【００３９】
また、回収ローラ２７には給電手段６４によりトナー像の逆極性のＤＣバイアスが印加されており、二次転写ローラ２６の表面上に付着したトナーを回収ローラ２７の表面上に静電的に吸着させる。二次転写対向ローラ２４の電位は、電位制御手段６５によって制御されている。
【００４０】
こうした構成をとることにより、従来発生していた不具合、すなわち、二次転写ローラ２６の耐久性ダウンといった不具合を引き起こすことなく、さらに清掃ブレード６０がもたらす二次転写ローラ２６の駆動トルク上昇や中間転写ベルト２１のたるみ、記録紙Ｐ裏側に二次転写ローラ２６の汚れが付着してしまうことによる記録材Ｐの裏汚れなどの発生と二次転写ローラ２６の清掃による不具合とを両方防止することができる。
【００４１】
〈実施の形態２〉
図２に、実施の形態２を示す。
【００４２】
中間転写ベルト２１上に、画像読み取りのためのトナー像が形成される動作に関しては、前述の動作と同様である。図２に示すように二次転写ローラ２６の表面にブラシ状の帯電装置６６が接触しており、この帯電装置６６は二次転写ローラ２６に付着したトナーの帯電量を均一となるようにトナー像と同極性の電荷を与えるものである。これは回収ローラ２７にトナーをオフセットしやすいように電位をコントロールするためのものである。トナーの電位をコントロールすることで回収ローラ２７に効率的に移動させることができ、清掃ブレード６０によりトナーが掻き落とされ、回収トレイ６１上に集められる。
【００４３】
本件の実施の形態では感光ドラムを４個持った系の画像形成装置において説明を行っているが、感光ドラムが１個の系である画像形成装置でもよい。
【００４４】
【発明の効果】
以上説明したように、本発明によると、中間転写体上のトナー像を記録材上に二次転写する二次転写部材であって、二次転写部材に付着したトナーを回収する回収部材と回収部材を清掃する清掃手段とを備えることにより、二次転写部材に直接清掃部材を接触させないようにしたので、二次転写部の磨耗を減らし、耐久性の向上を図ることができる。また、二次転写部材の駆動を中間転写体から伝達される構成においては二次転写部材を駆動するトルク、すなわち二次転写部材の負荷軽減でき、さらに中間転写体の回転ムラを防ぐことが可能となる。
【図面の簡単な説明】
【図１】実施の形態１の画像形成装置の概略構成を示す縦断面図
【図２】実施の形態２における二次転写部近傍の拡大図
【図３】感光ドラム上のトナー像のずれ量、倍率、傾き等を説明する上面図
【図４】従来の画像形成装置の概略構成を示す縦断面図
【符号の説明】
１ａ、１ｂ、１ｃ、１ｄ  像担持体（感光ドラム）
２１  中間転写体（中間転写ベルト）
２６  二次転写部材（二次転写ローラ）
２７  回収部材（回収ローラ）
６０  清掃手段（清掃部材、清掃ブレード）
６４  給電手段
６５  帯電装置
Ｐ  記録材
Ｔａ、Ｔｂ、Ｔｃ、Ｔｄ  一次転写部（一次転写領域）
Ｔｅ  二次転写部（二次転写領域）
【図１】
2005010386.tif 000003
【図２】
2005010386.tif 000004
【図３】
2005010386.tif 000005
【図４】
2005010386.tif 000006